(57)【特許請求の範囲】
【請求項１】
縦方向の糸が導電性糸からなり横方向の糸が絶縁性糸からなるＹ軸方向導電メッシュと、縦方向の糸が絶縁性糸からなり横方向の糸が導電性糸からなるＸ軸方向導電メッシュとが重ね合わせられており、Ｙ軸方向導電メッシュおよびＸ軸方向導電メッシュの両方あるいはどちらか一方の導電性糸には部分的に絶縁コートが施されており、各導電性糸の一端部が外部の電気信号制御回路に接続されていることを特徴とする接点座標検出用センサー。
【発明の詳細な説明】
【０００１】
【産業上の利用分野】
この発明は、押圧により接触した接点を座標として検出したり、さらには、座標として検出した接点から押圧物の形状を把握するときに用いる接点座標検出用センサーに関するものである。
【０００２】
【従来の技術】
従来、接点座標検出用センサーの一つとして、Ｙ軸方向の導電線とＸ軸方向の導電線とがスペーサーを介して重ね合わされ、各導電線の一端部が外部の電気信号制御回路に接続された構成のものがあった。導電線の支持体としては、樹脂フィルムを用いた。すなわち、樹脂フィルムに一定の間隔で導電線を印刷形成したものを２枚用意し、導電線の印刷面を対向させ、また、それぞれの樹脂フィルムに形成された導電線が直交するように配置し、スペーサーを介して重ね合わせたものであった（図２参照）。接点座標を検出するには、樹脂フィルムの非印刷面側から押圧することによって、Ｙ軸方向の導電線とＸ軸方向の導電線とを接触させ、接触によって発生している閉回路を、電気信号制御回路内でスキャンニングさせ、接点を座標として読み取るものであった。
【０００３】
【発明が解決しようとする課題】
上記の接点座標検出用センサーは、従来、コンピュータの入力手段として頻繁に使用されてきたが、この発明の発明者は、押圧物の形状把握にこの接点座標検出用センサーを用いることを試みた。すなわち、複数の接点を座標として検出し、コンピュータを用いて画像処理することにより、この接点の集合をつなぎ合わせて形状を把握するものである。
【０００４】
従来、コンピュータの入力手段として用いる場合には、入力ペンなどのある程度先の尖ったものや、あるいは、指先などで、接点座標検出用センサーを樹脂フィルムの非印刷面側から押圧することにより入力を行った。入力ペンや指先などの単純な形状の押圧物による入力においては、誤入力がほとんど生じなかった。ところが、押圧物の形状把握に接点座標検出用センサーを用いる場合には、複雑な形状の押圧物を用いることもある。たとえば、人間の上下の歯の噛み合わせ（以降歯列形状と呼ぶ）を把握するために、接点座標検出用センサーを上下の歯で噛んで入力することがある。しかし、従来の接点座標検出用センサーでは、導電線の支持体として樹脂フィルムを用いるため、このように複雑な形状の押圧物による入力においては、誤入力が頻繁に生じ、正確な形状把握ができなかった。この原因としては、次のようなことが考えられる。つまり、樹脂フィルムのような面状物の場合、離れた３点以上の多点を押圧した場合に、その多点をつなぐ面状の歪みが生じるために、結果として、押圧部の樹脂フィルムの歪みが、押圧部以外の部分にも伝播して誤入力を生じるのである。
【０００５】
したがって、この発明は以上のような欠点を取り除き、複雑な形状の押圧物による入力においても、誤入力を生じず正確な形状把握ができる接点座標検出用センサーを提供することを目的としている。
【０００６】
【課題を解決するための手段】
この発明の接点座標検出用センサーは、以上のような目的を達成するために、縦方向の糸が導電性糸からなり横方向の糸が絶縁性糸からなるＹ軸方向導電メッシュと、縦方向の糸が絶縁性糸からなり横方向の糸が導電性糸からなるＸ軸方向導電メッシュとが重ね合わせられており、Ｙ軸方向導電メッシュおよびＸ軸方向導電メッシュの両方あるいはどちらか一方の導電性糸には部分的に絶縁コートが施されており、各導電性糸の一端部が外部の電気信号制御回路に接続されている構成にした。
【０００９】
以下、図面を参照しながらこの発明についてさらに詳しく説明する。図１は、この発明の接点座標検出用センサーの他の実施例について、各構成部分を分離した模式斜視図である。１は導電性糸、２は絶縁性糸、３はＹ軸方向導電メッシュ、４はＸ軸方向導電メッシュ、６は絶縁コートをそれぞれ示す。
【００１０】
導電性糸１としては、ステンレス、銅、真鍮などの金属、または、ポリエステルなどの繊維に金、銀などの可撓性を有する金属をメッキした導電性材料からなる糸を用いる。導電性糸１の太さは、押圧物の種類や接点座標検出用センサーの用途によって選択すればよい。一般的に、歯列形状のように、形状把握を目的とし、かなり精度を要する場合には、線径２０〜３０μｍ、メッシュ数として５００〜３００メッシュのものを用いるのが好ましい。また、形状把握を目的とする場合であっても、精度を要しない場合には、これより太いものを用いることができる。さらに、従来のように接点座標を検出するだけの目的の場合にも、必要精度に応じ線径２０〜２００μｍ、メッシュ数として５００〜５０メッシュのものを選択できる。なお、単なるオン・オフどちらであるかの検出に用いる場合には、線径が２００μｍより太く、メッシュの粗いものを用いることもできる。
【００１１】
絶縁性糸２としては、ポリエステル、ナイロン、アクリルなどのプラスチック単繊維を用いるのが好ましい。絶縁性糸２の太さは、導電性糸１と同様に、押圧物の種類や接点座標検出用センサーの用途によって選択すればよいが、メッシュの安定性などから、導電性糸２とほぼ同等の線径のものを選択するのが好ましい。
【００１２】
Ｙ軸方向導電メッシュ３およびＸ軸方向導電メッシュ４は、導電性糸１と絶縁性糸２とを用い、どちらか一方を縦糸、他方を横糸として織ったメッシュである。Ｙ軸方向導電メッシュ３とＸ軸方向導電メッシュ４の区別は、２枚のメッシュを重ね合わせたときに、縦方向の糸が導電性糸であるものをＹ軸方向導電メッシュ３とし、横方向の糸が導電性糸であるものをＸ軸方向導電メッシュ４とする。Ｙ軸方向導電メッシュ３およびＸ軸方向導電メッシュ４は、互いの導電性糸が直交するように重ね合わせるのが好ましい。接点座標の検出が簡単でかつ精度がよいからである。Ｙ軸方向導電メッシュ３およびＸ軸方向導電メッシュ４の、各導電性糸の一端部は外部の電気信号制御回路に接続されている。
【００１４】
絶縁コート６としては、ゴム、プラスチックスなどの絶縁性材料をコート剤として用いればよい。この構成によると、押圧時以外は絶縁コート６を施した部分が導電性糸と接触しているために絶縁機能を有し、また、押圧時には押圧によりメッシュがわずかにずれることにより、導電性糸の絶縁コート６を施していない部分同士が接触し、導電機能を発揮するものである。
【００１６】
【作用】
従来の樹脂フィルムにある一定の間隔で導電線を印刷形成したシートの替わりに、前記したＹ軸方向導電メッシュおよびＸ軸方向導電メッシュを用いるので、離れた３点以上の多点を押圧した場合に、その多点をつなぐ線状には多少の歪みが生じるものの、面状の歪みは生じない。したがって、押圧部の樹脂フィルムの歪みが、押圧部以外の部分にも伝播して誤入力を生じることはほとんどない。
【００１７】
押圧により接触した接点を座標として検出する方法は色々あるが、たとえば次のようにできる。Ｙ軸方向導電メッシュの導電性糸に仮に一端から番号付けをし、Ｘ座標に対応させる。また、Ｘ軸方向導電メッシュの導電性糸にも同様に番号付けをし、Ｙ座標に対応させる。Ｙ軸方向導電メッシュの導電性糸とＸ軸方向導電メッシュの導電性糸とを押圧により接触させ、Ｙ軸方向導電メッシュおよびＸ軸方向導電メッシュのそれぞれの導電性糸のどちらか一方からの情報により、接触によって発生している閉回路を電気信号制御回路内でスキャンニングさせ、接点を座標として読み取る。
【００１８】
また、押圧物の形状把握にこの接点座標検出用センサーを用いるには、複数の接点を座標として検出し、コンピュータを用いて画像処理することにより、この接点の集合をつなぎ合わせ形状を把握するものである。
【００１９】
この発明の接点座標検出用センサーは、接点座標の検出、押圧物の形状把握のほか、単なるオン・オフどちらであるかの検出に用いることもできる。
【００２４】
【発明の効果】
この発明の接点座標検出用センサーでは、上記のような構成および作用を有するので、複雑な形状の押圧物による入力においても、誤入力を生じず正確な形状把握ができるようになった。
【図面の簡単な説明】
【図１】この発明の接点座標検出用センサーの一実施例について、各構成部分を分離した模式斜視図である。
【図２】従来の接点座標検出用センサーの各構成部分を分離した模式斜視図である。
【符号の説明】
１ 導電性糸
２ 絶縁性糸
３ Ｙ軸方向導電メッシュ
４ Ｘ軸方向導電メッシュ
６ 絶縁コート
【図１】
0003545815.tif 000002
【図２】
0003545815.tif 000003